(57)【要約】      （修正有）【課題】従来よりも覗き見を防止する効果が高い光学フィルタ、光学フィルタの製造方法および自動取引装置を提供する。【解決手段】入射される方向によって光を透過するシート状の光学フィルタ３０であって、光を透過する帯状の透過部３１と、光を遮光する帯状の遮光部３２とが光学フィルタ３０の表面に平行な面内に交互に配置されたルーバー層を有し、前記ルーバー層は、透過部３１および遮光部３２の延在方向が異なる第一ルーバー部３０ａおよび第二ルーバー部３０ｂの二つの領域を含んでおり、第一ルーバー部３０ａの第一透過部３１ａおよび第一遮光部３２ａの延在方向は、前記表面に平行な面内において一方に回転しており、第二ルーバー部３０ｂの第二透過部３１ｂおよび第二遮光部３２ｂの延在方向は、前記表面に平行な面内において第一ルーバー部３０ａとは逆方向に回転している。【選択図】図４
2019066549.tif 000002
【特許請求の範囲】
【請求項１】
入射される方向によって光を透過するシート状の光学フィルタであって、
光を透過する帯状の透過部と、光を遮光する帯状の遮光部とが前記光学フィルタの表面に平行な面内に交互に配置されたルーバー層を有し、
前記ルーバー層は、前記透過部および前記遮光部の延在方向が異なる第一ルーバー部および第二ルーバー部の二つの領域を含んでおり、
前記第一ルーバー部の前記透過部および前記遮光部の延在方向は、前記表面に平行な面内において一方に回転しており、
前記第二ルーバー部の前記透過部および前記遮光部の延在方向は、前記表面に平行な面内において前記第一ルーバー部とは逆方向に回転している、
ことを特徴とする光学フィルタ。
【請求項２】
前記遮光部は前記表面に対して垂直である、ことを特徴とする請求項１に記載の光学フィルタ。
【請求項３】
前記遮光部は内側に傾いている、ことを特徴とする請求項１に記載の光学フィルタ。
【請求項４】
前記第一ルーバー部および前記第二ルーバー部は、前記表面側から見て左右対称になっている、ことを特徴とする請求項１ないし請求項３の何れか一項に記載の光学フィルタ。
【請求項５】
入射される方向によって光を透過するシート状の光学フィルタの製造方法であって、
光を透過する透過層と光を遮光する遮光層とが交互に積層された母材ブロックを準備する準備工程と、
前記母材ブロックを前記透過層および前記遮光層の積層方向に直行する面に対して傾斜して切断し、二つの分割ブロックに分割する分割工程と、
前記積層方向を回転軸として一方の前記分割ブロックを半回転させ、各々の切断面を介して二つの前記分割ブロックを接合する接合工程と、
接合した接合面に対して直交する方向に沿って、一体となった前記分割ブロックを所定の厚さで切り出す切出し工程と、
を有することを特徴とする光学フィルタの製造方法。
【請求項６】
前記母材ブロックは前記積層方向に平行な四つの側面を有する直方体を呈し、
前記分割工程では、一方の対向する前記側面において前記遮光層に対して平行であると共に、他方の対向する前記側面において前記遮光層に対して傾斜させて切断する、
ことを特徴とする請求項５に記載の光学フィルタの製造方法。
【請求項７】
前記母材ブロックは前記積層方向に平行な四つの側面を有する直方体を呈し、
前記分割工程では、すべての前記側面において前記遮光層に対して傾斜させて切断する、
ことを特徴とする請求項５に記載の光学フィルタの製造方法。
【請求項８】
請求項１ないし請求項４の何れか一項に記載された光学フィルタを表示装置に備える自動取引装置。
【発明の詳細な説明】
【技術分野】
【０００１】
本発明は、光学フィルタ、光学フィルタの製造方法および自動取引装置に関する。
【背景技術】
【０００２】
従来、液晶ディスプレイ（ＬＣＤ：Liquid Crystal Display）などの表示装置に設置する光学フィルタが開発されている（特許文献１）。特許文献１に記載される光学フィルタは、表示装置に表示される内容を第三者に見られることを防止するものである。特許文献１に記載される光学フィルタを図１７に示す。図１７の光学フィルタ８０１は、各々が帯状の透光部（透過部）８０２と、遮光部８０３とが交互に並んだ構造である。
【０００３】
また、建物外から光を建物内に採り入れる光採り入れ部に設置する採光シートが開発されている（特許文献２，３）。特許文献２，３に記載される採光シートは、太陽光を制御して好適な態様で光を建物内に採り入れるものである。この採光シートに用いられる技術を表示装置に設置する光学フィルタに適用することで、表示装置に表示される画像を第三者に見られることを防止することが可能である。特許文献２，３に記載される技術を適用した光学フィルタを図１８に示す。図１８の光学フィルタ９０１は、透明のシートの表面に一定の間隔でＶ字状の溝を平行に形成した後でその溝に遮光体を流し込んだものであり、シート状の透光部（透過部）９０２と、透光部（透過部）９０２の表面に一定間隔で形成された断面視がＶ字状の遮光部９０３とで構成される。
【先行技術文献】
【特許文献】
【０００４】
【特許文献１】特開平１０−１０４４０６号公報
【特許文献２】特開２０１４−２１５５８０号公報
【特許文献３】特開２０１４−２３８５１２号公報
【発明の概要】
【発明が解決しようとする課題】
【０００５】
ここで、特許文献１に記載される光学フィルタ８０１を液晶ディスプレイ８０４（図１９参照）に設置した場合に、光の干渉を起こしてモアレ（縞模様）が発生することが知られている。特許文献２，３に記載される技術を用いた場合も同様である。この現象は、液晶ディスプレイ８０４のＲＧＢドット（画素）８０５の並び方向と、光学フィルタ８０１の遮光部８０３の延在方向とが平行であることによる。
【０００６】
そのため、図２０に示す光学フィルタ８０１Ａのように、液晶ディスプレイ８０４のＲＧＢドット８０５の並びに対して遮光部８０３を斜めに配置することで、モアレの発生を防ぐことが可能である。ＲＧＢドット８０５の並びに対する遮光部８０３の回転角度（バイアス角）αは、ＲＧＢドット８０５のピッチ幅や遮光部８０３のピッチ幅にもよるが、例えば十数度である。
【０００７】
しかしながら、光学フィルタ８０１Ａを設置する角度が水平に近い場合に、光学フィルタ８０１Ａの左前方向の視野角が広がってしまうので、その方向にいる第三者（つまり、使用者の左側にいる者）から液晶ディスプレイ８０４に表示される内容を覗き見される虞があった。このことは、金融サービスを提供する自動取引装置（ＡＴＭ：Automated /Automatic Teller Machine）において特に問題となる。
【０００８】
なお、光学フィルタ８０１Ａの左前方向の視野角を小さくするために遮光部８０３の回転角度αを一定の範囲内に制限することも考えられる。その場合、モアレの発生を防ぐためには、遮光部８０３のピッチ幅をさらに狭くしたり、また、遮光部８０３のピッチ幅をランダムにしたりする必要がある。したがって、製造が難しくなったり、製造工程が複雑になったりするので現実的ではない。
【０００９】
本発明は、前記問題に鑑みてなされたものであり、従来よりも覗き見を防止する効果が高い光学フィルタ、光学フィルタの製造方法および自動取引装置を提供することを課題とする。
【課題を解決するための手段】
【００１０】
前記課題を解決するため、本発明に係る光学フィルタは、入射される方向によって光を透過するシート状の光学フィルタであって、光を透過する帯状の透過部と、光を遮光する帯状の遮光部とが前記光学フィルタの表面に平行な面内に交互に配置されたルーバー層を有し、前記ルーバー層は、前記透過部および前記遮光部の延在方向が異なる第一ルーバー部および第二ルーバー部の二つの領域を含んでおり、前記第一ルーバー部の前記透過部および前記遮光部の延在方向は、前記表面に平行な面内において一方に回転しており、前記第二ルーバー部の前記透過部および前記遮光部の延在方向は、前記表面に平行な面内において前記第一ルーバー部とは逆方向に回転していることを特徴とする。
【００１１】
前記課題を解決するため、本発明に係る光学フィルタの製造方法は、入射される方向によって光を透過するシート状の光学フィルタの製造方法であって、光を透過する透過層と光を遮光する遮光層とが交互に積層された母材ブロックを準備する準備工程と、前記母材ブロックを前記透過層および前記遮光層の積層方向に直行する面に対して傾斜して切断し、二つの分割ブロックに分割する分割工程と、前記積層方向を回転軸として一方の前記分割ブロックを半回転させ、各々の切断面を介して二つの前記分割ブロックを接合する接合工程と、接合した接合面に対して直交する方向に沿って、一体となった前記分割ブロックを所定の厚さで切り出す切出し工程とを有することを特徴とする。
【００１２】
前記課題を解決するため、本発明に係る自動取引装置は、前記した特徴を有する光学フィルタを表示装置に備えるものである。
【発明の効果】
【００１３】
本発明によれば、従来よりも覗き見を防止する効果が高い。
【図面の簡単な説明】
【００１４】
【図１】本発明の第一実施形態に係る光学フィルタを備えた自動取引装置の外観斜視図である。
【図２】本発明の第一実施形態に係る表示ユニットの分解斜視図である。
【図３】本発明の第一実施形態に係る表示ユニットの平面図である。
【図４】本発明の第一実施形態に係る光学フィルタの平面図である。
【図５】本発明の第一実施形態に係る光学フィルタのＶ−Ｖ断面図である。
【図６】本発明の第一実施形態に係る光学フィルタの製造方法（母材ブロックの分割工程）を示す図である。
【図７】本発明の第一実施形態に係る光学フィルタの製造方法（分割した母材ブロックの接合工程）を示す図である。
【図８】本発明の第一実施形態に係る光学フィルタの製造方法（光学フィルタの切出し工程）を示す図である。
【図９】本発明の第一実施形態に係る光学フィルタの製造方法により完成した光学フィルタの斜視図である。
【図１０】本発明の第二実施形態に係る光学フィルタの斜視図である。
【図１１】本発明の第二実施形態に係る光学フィルタのＸＩ−ＸＩ断面図である。
【図１２】本発明の第二実施形態に係る光学フィルタの製造方法（母材ブロックの分割工程）を示す図である。
【図１３】本発明の第二実施形態に係る光学フィルタの製造方法（分割した母材ブロックの接合工程）を示す図である。
【図１４】本発明の第二実施形態に係る光学フィルタの製造方法（分割した母材ブロックの接合工程）を示す図である。
【図１５】本発明の第二実施形態に係る光学フィルタの製造方法（光学フィルタの切出し工程）を示す図である。
【図１６】本発明の第二実施形態に係る光学フィルタの製造方法により完成した光学フィルタの斜視図である。
【図１７】従来の光学フィルタを示す斜視図である。
【図１８】従来の光学フィルタを示す斜視図である。
【図１９】従来の光学フィルタを液晶ディスプレイに設置した状態を示す平面図である。
【図２０】従来の光学フィルタを液晶ディスプレイに設置した状態を示す平面図である。
【発明を実施するための形態】
【００１５】
以下、図面を参照して、本発明の実施の形態について詳細に説明する。各図は、本発明を十分に理解できる程度に、概略的に示してあるに過ぎない。よって、本発明は、図示例のみに限定されるものではない。また、参照する図面において、本発明を構成する部材の寸法は、説明を明確にするために誇張して表現されている。なお、各図において、共通する構成要素や同様な構成要素については、同一の符号を付し、それらの重複する説明を省略する。
【００１６】
［第一実施形態］
≪第一実施形態に係る自動取引装置の構成≫
図１を参照して、第一実施形態に係る光学フィルタを備えた自動取引装置１の構成を説明する。図１に示す自動取引装置１（ＡＴＭ：Automated /Automatic Teller Machine）は、顧客に対して金融サービスを提供するためのアクセスポイントとしての役割を果たすものである。自動取引装置１は、例えば銀行の支店などに設置され、ネットワークＮＷを介して銀行ホストシステム（図示せず）に接続されている。
【００１７】
自動取引装置１は、前面が開口した箱型の筺体２と、筺体２の前面下部に配設される前面扉３と、筺体２の前面上部に配設されており、顧客により操作される操作パネル１０とを備えて構成されている。以下では、自動取引装置１を使用する顧客を、特に「使用者」と呼ぶことにする。使用者は、自動取引装置１の前方（正面）に位置し、操作パネル１０を操作する。
【００１８】
筺体２は、内部に各種のユニット（例えば、紙幣入出金機や硬貨入出金機）を収納する。筺体２の前面側上部は凹んだ形状を呈しており、筺体２の底面には四本の脚部２ａが設けられている。
前面扉３は、筺体２の前面下部を覆う部材であり、保守時において筺体２に収納されるユニットを操作する場合に開放される。
【００１９】
操作パネル１０は、筺体２の凹みに合わせて成形された側面視でＬ字形状を呈するフロントカバー１０ｄに、取引に必要な種々の構成要素が設けられたものである。操作パネル１０は、略垂直面を形成する第一操作面１０ａと、略水平面を形成する第二操作面１０ｂとを有する。
【００２０】
操作パネル１０の第一操作面１０ａには、通帳入出口１１と、カード入出口１２とが設けられている。通帳入出口１１は、通帳の挿入や排出を行う開口部である。カード入出口１２は、キャッシュカードや振込カード等のカード媒体の挿入や排出を行う開口部である。
【００２１】
操作パネル１０の第二操作面１０ｂには、硬貨入出金口１３と、紙幣入出金口１４と、表示入力部１５と、ハンドセット１６とが設けられている。硬貨入出金口１３は、硬貨の投入や排出を行う開口部である（図１ではシャッタが閉じられた状態）。紙幣入出金口１４は、紙幣の投入や排出を行う開口部である（図１ではシャッタが閉じられた状態）。ハンドセット１６は、例えば視覚障害者用に設けられ、各種の案内情報を音声で顧客に通知する構成要素である。
【００２２】
表示入力部１５は、各種の画面を表示すると共に各種の指示や情報等の入力を受け付ける構成要素である。表示入力部１５は、図２に示す表示ユニット１８と、図示しないタッチパネルとを備えて構成される。表示ユニット１８は、表示装置としての液晶ディスプレイ（ＬＣＤ：Liquid Crystal Display）２０と、液晶ディスプレイ２０の上部に設置される光学フィルタ３０とを備えて構成されている。なお、タッチパネルは、使用者が液晶ディスプレイ２０上のどの位置に触れたかを検出するセンサであり、例えば光学フィルタ３０の上部に設置される。
【００２３】
表示ユニット１８の説明における「上下」、「左右」、「前後」は図２の矢印に従う。当該方向は、説明の便宜上定めるものであり、本発明を限定するものではない。ここでの上下方向は表示ユニット１８（液晶ディスプレイ２０および光学フィルタ３０）の厚さ方向であり、液晶ディスプレイ２０の視認側を上側とし、その反対側を下側としている。また、上下方向に直交する面内において、使用者が液晶ディスプレイ２０を見るときに使用者が居る側を前側とし、その反対側を後側としている。また、左右方向は、上下方向および前後方向に合わせて設定されている。
【００２４】
液晶ディスプレイ２０は、図示しない制御部からの信号に応じて文字や図などのグラフィックを表示するものである。ここでの液晶ディスプレイ２０は、上から見て長方形状を呈しており、前後左右に配列はれたＲＧＢドット（画素）２１を有する。液晶ディスプレイ２０は、図示しないバックライトにより発せられた光をＲＧＢドット２１毎に遮ったり透過させたりすることによって表示を行う。なお、光学フィルタ３０を設置する表示装置は、ここでの液晶ディスプレイ２０に限定されずに他の構成であってもよい。また、表示装置への光学フィルタ３０の設置方法も特に限定されない。
【００２５】
＜第一実施形態に係る光学フィルタの構成＞
光学フィルタ３０は、液晶ディスプレイ２０に表示される文字や画像を覗き見することを防ぐものである。光学フィルタ３０は、液晶ディスプレイ２０を覆うシート状のものであればよい。ここでの光学フィルタ３０は、上から見て液晶ディスプレイ２０と同じ長方形状を呈しており、図３に示すように液晶ディスプレイ２０よりもサイズが大きくなっている。
【００２６】
光学フィルタ３０は、光を透過する透過部３１と、光を遮光する遮光部３２とを備えて構成されている。透過部３１および遮光部３２は共に帯状をなしており、前後方向および左右方向を含む面内に交互に配置されている。透過部３１および透過部３１の配列方向（左右方向）のピッチ幅は、例えば数十μｍ〜百十数μｍである。また、透過部３１の幅は、例えば遮光部３２の幅の数倍〜十数倍である。以下では、透過部３１および遮光部３２が交互に配列された層状の部分を「ルーバー層」と呼ぶ場合がある。ここでは光学フィルタ３０がルーバー層のみで構成される場合を示しているが、光学フィルタ３０はルーバー層以外の層（例えばルーバー層を保護する保護層）を有していてもよい。
【００２７】
図２に示すように、光学フィルタ３０には配列された透過部３１および遮光部３２（ルーバー層）を左右に分割する境界部３０ｃが設定されており、境界部３０ｃを境にして透過部３１および遮光部３２の延在方向が異なっている。ここでの境界部３０ｃは、前後方向および上下方向を含む面内に設定される平面（境界面）であって光学フィルタ３０を左右方向に均等に分割している。以下では、境界部３０ｃよりも左側の部分を「第一ルーバー部３０ａ」と呼び、また境界部３０ｃよりも右側の部分を「第二ルーバー部３０ｂ」と呼ぶことにする。なお、光学フィルタ３０の製造方法については後記するが、境界部３０ｃは例えば第一ルーバー部３０ａと第二ルーバー部３０ｂとの接合部である。
【００２８】
図４および図５を参照して、光学フィルタ３０の詳細な構成を説明する。図４は光学フィルタ３０の平面図であり、また図５は光学フィルタ３０のＶ−Ｖ断面図である。図４に示すように、第一ルーバー部３０ａの第一透過部３１ａおよび第一遮光部３２ａ、ならびに第二ルーバー部３０ｂの第二透過部３１ｂおよび第二遮光部３２ｂは、後方に向かうにつれて境界部３０ｃから徐々に離れるように配置されている。つまり、第一透過部３１ａおよび第一遮光部３２ａの延在方向は、反時計回りに回転角度（バイアス角）α１だけ回転している。また、第二透過部３１ｂおよび第二遮光部３２ｂの延在方向は、時計回りに回転角度（バイアス角）α２だけ回転している。第一透過部３１ａおよび第一遮光部３２ａの回転角度α１ならびに第二透過部３１ｂおよび第二遮光部３２ｂの回転角度α２は、モアレが発生しない程度に設定する。回転角度α１，α２は、例えば数度〜十数度であり、回転角度α１，α２は同じ値であるのが望ましい。
【００２９】
また、図５に示すように、第一遮光部３２ａおよび第二遮光部３２ｂは、光学フィルタ３０の裏面（液晶ディスプレイ２０側の面であり、ここでは下面）や表面（液晶ディスプレイ２０とは反対側の面であり、ここでは上面）に対して垂直である。つまり、ここでの第一遮光部３２ａおよび第二遮光部３２ｂは、光が入射する面（または光が出射する面）に対して直角をなすように配設されており、下方に配設される液晶ディスプレイ２０から出射された光は、第一遮光部３２ａおよび第二遮光部３２ｂにほぼ平行な光が透過する。
【００３０】
このように、第１実施形態では、左右で透過部３１および遮光部３２の延在方向が反転することにより、境界部３０ｃを境にして透過部３１および遮光部３２は左右対称に配置されている。なお、ここでの左右対称は必ずしも厳密でなくてもよく、回転角度α１，α２のずれや、第一遮光部３２ａと第二遮光部３２ｂとの位置ずれなどを本発明の効果を実現できる範囲で許容する意図である。これにより、透過部３１および遮光部３２は上面視でＶ字状を呈する（図４参照）。
【００３１】
図３に示すように、光学フィルタ３０を液晶ディスプレイ２０に設置した場合、液晶ディスプレイ２０の左半分を反時計回りの回転角度α１（図４参照）が設定された第一ルーバー部３０ａが覆う。そのため、液晶ディスプレイ２０の左半分は、右前方向Ａ１の視野角が広がるので、右前方向Ａ１からは見えやすく、左前方向Ａ２からは見えにくい。ここで、液晶ディスプレイ２０の左半分に対する右前方向Ａ１は概ね使用者の位置であり、また、左前方向Ａ２は概ね覗き見を行う第三者の位置である。
【００３２】
また、図３に示すように、光学フィルタ３０を液晶ディスプレイ２０に設置した場合、液晶ディスプレイ２０の右半分を時計回りの回転角度α２（図４参照）が設定された第二ルーバー部３０ｂが覆う。そのため、液晶ディスプレイ２０の右半分は、左前方向Ｂ１の視野角が広がるので、左前方向Ｂ１からは見えやすく、右前方向Ｂ２からは見えにくい。ここで、液晶ディスプレイ２０の右半分に対する左前方向Ｂ１は概ね使用者の位置であり、また、右前方向Ｂ２は概ね覗き見を行う第三者の位置である。
【００３３】
以上のように、第一実施形態に係る光学フィルタ３０は、左右両側前方Ａ２，Ｂ２（図３参照）から液晶ディスプレイ２０を見えにくくする。また、液晶ディスプレイ２０を見ることができる方向Ａ１，Ｂ１（図３参照）は使用者の位置になり、この方向からの視線は使用者によって遮断される。そのため、第一実施形態に係る光学フィルタ３０は、透過部３１および遮光部３２の回転角度α１，α２（図４参照）を設けたとしても正面以外の周囲からは液晶ディスプレイ２０を見ることができない。したがって、透過部３１および遮光部３２のピッチ幅を調整せずにモアレの発生を防ぐことが可能である。言い換えれば、第一実施形態に係る光学フィルタ３０は、モアレの発生を防ぐことができる程度に透過部３１および遮光部３２に対して回転角度α１，α２を設定しても、正面以外の周囲からは液晶ディスプレイ２０を見ることができないので従来よりも覗き見を防止する効果が高いと言える。
【００３４】
≪第一実施形態に係る光学フィルタの製造方法≫
図６ないし図９を参照して、第一実施形態に係る光学フィルタ３０の製造方法を説明する。光学フィルタ３０の製造方法は、主に（１）母材ブロックの準備工程、（２）母材ブロックの分割工程、（３）分割した母材ブロックの接合工程、（４）光学フィルタの切出し工程からなる。
【００３５】
＜母材ブロックの準備工程＞
最初に、図６に示す母材ブロック４０を準備する。母材ブロック４０は、透過層４１と遮光層４２とが順番に積層されたものであり、ここでは、透過層４１および遮光層４２が矩形シート状を呈することで母材ブロック４０は直方体状をなしている。以下では、透過層４１および遮光層４２が積層される方向を「積層方向」と呼ぶ。母材ブロック４０を構成する面のなかで積層方向に平行な側面４３，４４，４５，４６には、透過層４１および遮光層４２によって縞模様が形成されている。透過層４１および遮光層４２の積層方向のピッチ幅は、例えば数十μｍ〜百十数μｍである。また、透過層４１の積層方向の厚さは、例えば遮光層４２の積層方向の厚さの数倍〜十数倍である。
【００３６】
透過層４１の材料は、透明性が高い樹脂材料であるのがよく、例えば、セルロース系樹脂、ポリオレフィン系樹脂、ポリエステル系樹脂、シリコーン樹脂、ポリスチレン樹脂、ポリ塩化ビニル樹脂、アクリル樹脂、ポリカーボネート樹脂等である。
遮光層４２の材料は、遮光性が得られるものであればよく、例えば、透過層４１の材料として挙げた樹脂材料を基材とし、これに顔料や染料等の着色剤を添加した着色樹脂である。遮光層４２の色は特に限定されないが、遮光性という点から黒色であるのが好ましい。遮光層４２の色は、例えば、着色剤の種類および添加量によって調整できる。
【００３７】
＜母材ブロックの分割工程＞
次に、図６に示すように、母材ブロック４０の積層方向に直交する面（透過層４１および遮光層４２が形成される面）に対して傾斜して母材ブロック４０を切断する。図６中の符号５１は切断面を示している。ここでは、側面４４，４６において遮光層４２に平行であると共に、側面４３，４５において遮光層４２に対して傾斜させて切断する。これにより、母材ブロック４０は、二つの分割ブロック４０ａ，４０ｂに分割される。
【００３８】
＜分割した母材ブロックの接合工程＞
次に、積層方向を回転軸として一方の分割ブロック４０ｂを半回転（180°回転）させ（図６の符号５２）、図８に示すように、分割ブロック４０ａの切断面５１ａと分割ブロック４０ｂの切断面５１ｂとが接触するようにして、分割ブロック４０ａ，４０ｂを接合する。なお、積層方向と直交する方向を回転軸として一方の分割ブロック４０ｂを半回転させ（図７の状態）、符号５３で示すように、分割ブロック４０ａの切断面５１ａと分割ブロック４０ｂの切断面５１ｂとが接触するように接合してもよい。分割ブロック４０ａ，４０ｂの接合方法は特に限定されないが、例えば接着剤を用いて接合する。
【００３９】
＜光学フィルタの切出し工程＞
次に、図８に示すように、接合した分割ブロック４０ａ，４０ｂを必要なサイズに切り抜くと共に、接合面に対して直交する方向に沿ってシート状に薄切りする。図８中の符号５４は切り抜く領域を示している。これにより、図９に示すように、左右で透過部３１および遮光部３２の延在方向が反転する光学フィルタ３０が完成する。
【００４０】
以上のように、第一実施形態に係る光学フィルタ３０の製造方法は、従来の製造方法から「母材ブロックの分割工程」と「分割した母材ブロックの接合工程」とを追加すればよく、透過層４１および遮光層４２の積層方向のピッチ幅を調整しないので製造方法が比較的簡単である。
【００４１】
［第二実施形態］
図５に示すように、第一実施形態に係る光学フィルタ３０は、第一遮光部３２ａおよび第二遮光部３２ｂが光学フィルタ３０の表面（光が出射する面）に対して直角をなすように配設されていた。第二実施形態では、第一遮光部３２ａおよび第二遮光部３２ｂを光学フィルタ３０の内側に傾けて配設する。
【００４２】
＜第二実施形態に係る光学フィルタの構成＞
図１０および図１１を参照して、第二実施形態に係る光学フィルタ１３０の構成について説明する。図１０は、第二実施形態に係る光学フィルタ１３０の斜視図である。図１１は、第二実施形態に係る光学フィルタ１３０のＸＩ−ＸＩ断面図である。
【００４３】
図１０に示すように、第二実施形態に係る光学フィルタ１３０は、第一実施形態と同様に境界部１３０ｃを境にして透過部１３１および遮光部１３２の延在方向が異なっている。つまり、光学フィルタ１３０は、第一ルーバー部１３０ａと第二ルーバー部１３０ｂとからなる。そして、第一ルーバー部１３０ａの第一透過部１３１ａおよび第一遮光部１３２ａの延在方向は、反時計回りに回転角度（バイアス角）α１だけ回転している。また、第二ルーバー部１３０ｂの第二透過部１３１ｂおよび第二遮光部１３２ｂの延在方向は、時計回りに回転角度（バイアス角）α２だけ回転している。これにより、第二実施形態に係る光学フィルタ１３０の透過部１３１および遮光部１３２は上面視でＶ字状を呈する。
【００４４】
また、図１１に示すように、第一遮光部１３２ａおよび第二遮光部１３２ｂは、光学フィルタ１３０の裏面（液晶ディスプレイ２０側の面であり、ここでは下面）や表面（液晶ディスプレイ２０とは反対側の面であり、ここでは上面）の法線に対して内側に傾斜角度β１，β２だけ傾いている。つまり、ここでの第一遮光部１３２ａおよび第二遮光部１３２ｂは、光が入射する面（または光が出射する面）に対して直角よりも内側に傾けて配設されており、下方に配設される液晶ディスプレイ２０から出射された光は、第一遮光部１３２ａおよび第二遮光部１３２ｂにほぼ平行な光が透過する。傾斜角度β１，β２は、例えば数度〜十数度であるのがよい。
【００４５】
以上のように、第二実施形態に係る光学フィルタ１３０は、透過部１３１および遮光部１３２が上面視でＶ字状を呈するので、図３に示す第一実施形態に係る光学フィルタ３０と同等の効果を奏する。具体的には、液晶ディスプレイ２０の左半分は右前方向Ａ１からは見えやすく、左前方向Ａ２からは見えにくい。また、液晶ディスプレイ２０の右半分は左前方向Ｂ１からは見えやすく、右前方向Ｂ２からは見えにくい。つまり、第二実施形態に係る光学フィルタ１３０は、モアレの発生を防ぐことができる程度に透過部１３１および遮光部１３２に対して回転角度α１，α２を設定しても、正面以外の周囲からは液晶ディスプレイ２０を見ることができないので従来よりも覗き見を防止する効果が高いと言える。
【００４６】
また、第一実施形態に係る光学フィルタ３０では、使用者と液晶ディスプレイ２０との距離が近い場合に液晶ディスプレイ２０の端部分が光学フィルタ３０の遮光域に入ってしまい、その部分の視認性が劣化する可能性があった。使用者と液晶ディスプレイ２０との距離が近い場合とは、例えば使用者が車いすを使用する場合や使用者が背の低い子どもである場合である。しかし、第二実施形態に係る光学フィルタ１３０では、図１１に示すように、第一遮光部１３２ａおよび第二遮光部１３２ｂが内側（使用者側）に傾斜角度β１，β２だけ傾いているので、光学フィルタ１３０の内側方向の遮光域が減少し、外側方向の遮光域が増加する。そのため、使用者と液晶ディスプレイ２０との距離が近くても液晶ディスプレイ２０の端部分の視認性が劣化しづらい。なお、第一遮光部１３２ａおよび第二遮光部１３２ｂを内側（使用者側）に傾斜角度β１，β２だけ傾けることで遮光域が減少する方向は、使用者がいる方向なので、使用者以外の第三者の視認性は向上せず、覗き見を防止する効果は保たれる。
【００４７】
≪第二実施形態に係る光学フィルタの製造方法≫
図１２ないし図１６を参照して、第二実施形態に係る光学フィルタ１３０の製造方法を説明する。光学フィルタ１３０の製造方法は、主に（１）母材ブロックの準備工程、（２）母材ブロックの分割工程、（３）分割した母材ブロックの接合工程、（４）光学フィルタの切出し工程からなる。「母材ブロックの準備工程」は第一実施形態と同様なので、ここでは説明を省略する。
【００４８】
＜母材ブロックの分割工程＞
「母材ブロックの準備工程」に続いて、図１２に示すように、母材ブロック４０の積層方向に直交する面（透過層４１および遮光層４２が形成される面）に対して傾斜して母材ブロック４０を切断する。図１２中の符号１５１は切断面を示している。ここでは、すべての側面４３，４４，４５，４６において遮光層４２に対して傾斜させて切断する。これにより、母材ブロック４０は、二つの分割ブロック１４０ａ，１４０ｂに分割される。
【００４９】
＜分割した母材ブロックの接合工程＞
次に、積層方向を回転軸として一方の分割ブロック１４０ｂを半回転（180°回転）させ（図１２の符号１５２）、図１４に示すように、分割ブロック１４０ａの切断面１５１ａと分割ブロック１４０ｂの切断面１５１ｂとが接触するようにして、分割ブロック１４０ａ，１４０ｂを接合する。なお、積層方向と直交する方向を回転軸として一方の分割ブロック１４０ｂを半回転させ（図１３の状態）、符号１５３で示すように、分割ブロック１４０ａの切断面１５１ａと分割ブロック１４０ｂの切断面１５１ｂとが接触するように接合してもよい。分割ブロック１４０ａ，１４０ｂの接合方法は特に限定されないが、例えば接着剤を用いて接合する。
【００５０】
＜光学フィルタの切出し工程＞
次に、図１５に示すように、接合した分割ブロック１４０ａ，１４０ｂを加工しやすくするために、上部および下部を接合面に対して直交する方向に沿って平行に切り落とす。また、分割ブロック１４０ａ，１４０ｂを必要なサイズに切り抜くと共に、接合面に対して直交する方向に沿ってシート状に薄切りする。図１５中の符号１５４は切り抜く領域を示している。これにより、図１６に示すように、左右で透過部３１および遮光部３２の延在方向が反転すると共に、第一遮光部１３２ａおよび第二遮光部１３２ｂが内側に傾斜する光学フィルタ１３０が完成する。
【００５１】
以上のように、第二実施形態に係る光学フィルタ１３０の製造方法は、従来の製造方法から「母材ブロックの分割工程」と「分割した母材ブロックの接合工程」とを追加すればよく、透過層４１および遮光層４２の積層方向のピッチ幅を調整しないので製造方法が比較的簡単である。
【００５２】
［変形例］
以上、本発明の実施形態について説明したが、本発明はこれに限定されるものではなく、特許請求の範囲の趣旨を変えない範囲で実施することができる。
【００５３】
例えば、各実施形態で説明した製造方法では、透過層４１および遮光層４２が矩形シート状を呈することで母材ブロック４０は直方体状をなしていた。しかし、母材ブロック４０の形状はこれに限定されず、他の形状であってもよい。例えば、透過層４１および遮光層４２が円形シート状を呈することで母材ブロック４０は円柱状をなしていてもよい。
【００５４】
また、各実施形態では光学フィルタ３０，１３０を自動取引装置（ＡＴＭ：Automated /Automatic Teller Machine）の表示装置に設置する場合を説明した。しかしながら、光学フィルタ３０，１３０を適用可能な装置はこれに限定されず、他の装置に適用することも可能である。例えば、光学フィルタ３０，１３０は、発券機、通帳記帳機、多機能型携帯電話機（スマートフォン:Smartphone）、パーソナルコンピュータ（ＰＣ：Personal Computer）などの装置が備える表示装置に広く適用することができる。
【符号の説明】
【００５５】
１      自動取引装置
１５    表示入力部
１８    表示ユニット
２０    液晶ディスプレイ（表示装置）
３０，１３０  光学フィルタ
３０ａ，１３０ａ  第一ルーバー部（ルーバー層）
３０ｂ，１３０ｂ  第二ルーバー部（ルーバー層）
３０ｃ，１３０ｃ  境界部
３１，１３１  透過部
３２，１３２  遮光部
３１ａ，１３１ａ  第一透過部
３２ａ，１３２ａ  第一遮光部
３１ｂ，１３１ｂ  第二透過部
３２ｂ，１３２ｂ  第二遮光部
４０    母材ブロック
４０ａ，４０ｂ，１４０ａ，１４０ｂ  分割ブロック
４１    透過層
４２    遮光層
４３，４４，４５，４６  側面
α１，α２  回転角度
β１，β２  傾斜角度
【図１】
2019066549.tif 000003
【図２】
2019066549.tif 000004
【図３】
2019066549.tif 000005
【図４】
2019066549.tif 000006
【図５】
2019066549.tif 000007
【図６】
2019066549.tif 000008
【図７】
2019066549.tif 000009
【図８】
2019066549.tif 000010
【図９】
2019066549.tif 000011
【図１０】
2019066549.tif 000012
【図１１】
2019066549.tif 000013
【図１２】
2019066549.tif 000014
【図１３】
2019066549.tif 000015
【図１４】
2019066549.tif 000016
【図１５】
2019066549.tif 000017
【図１６】
2019066549.tif 000018
【図１７】
2019066549.tif 000019
【図１８】
2019066549.tif 000020
【図１９】
2019066549.tif 000021
【図２０】
2019066549.tif 000022